(57)【要約】【課題】野外に敷設された通信ケーブルの上を動物が移動するのを防止できる通信ケーブル保護装置を提供する。【解決手段】例えば、栗鼠が樹木３０から通信ケーブル１０の被覆２０で覆われた部分に飛び移り、被覆２０で覆われていない部分に移動しようする。ここで、栗鼠は、尖形状部材１２の山を避けて、筒体１１に乗ったとしても、尖形状部材１２の山を避けたことで、栗鼠は、バランスを欠いており、また、筒体１１が回転するので、持ちこたえられず、落下する。【選択図】図１
2013090500.tif 000002
【特許請求の範囲】
【請求項１】
野外に敷設された通信ケーブルの上を動物が移動するのを防止する通信ケーブル保護装置であって、
通信ケーブルを内包し且つ回転可能なように取り付けられる筒体と、
前記筒体の外周部に立設する１以上の尖形状部材と
を有することを特徴とする通信ケーブル保護装置。
【請求項２】
野外に敷設された通信ケーブルの上を動物が移動するのを防止する通信ケーブル保護装置であって、
通信ケーブルを内包し且つ回転不可能なように取り付けられる筒体と、
前記筒体の外周部の上方に向いている部分に立設する尖形状部材と
を有することを特徴とする通信ケーブル保護装置。
【請求項３】
前記筒体の外周部の下方に向いている部分に立設する尖形状部材を有することを特徴とする請求項２記載の通信ケーブル保護装置。
【発明の詳細な説明】
【技術分野】
【０００１】
本発明は、野外に敷設された通信ケーブルの上を動物が移動するのを防止できる通信ケーブル保護装置に関するものである。
【背景技術】
【０００２】
通信ケーブルは、山間部などの野外に敷設されることも多く、動物により損傷をうける場合がある。例えば、図３に示すように、栗鼠１００が樹木３０から通信ケーブル１０に飛び移り、通信ケーブル１０の上を移動する。その際、例えば、通信ケーブル１０が噛まれ、通信ケーブル１０が損傷する。
【先行技術文献】
【非特許文献】
【０００３】
【非特許文献１】「会社概要」、［ｏｎｌｉｎｅ］、株式会社  能一産業、［平成２３年１０月１７日検索］、インターネット＜ＵＲＬ：http://www.noichi.co.jp/profile.html＞
【非特許文献２】「鳥封じ」、［ｏｎｌｉｎｅ］、ヨツギ株式会社、［平成２３年１０月１７日検索］、インターネット＜ＵＲＬ：http://www.yotsugi.co.jp/news/img/torifuji.pdf＞
【発明の概要】
【発明が解決しようとする課題】
【０００４】
例えば、通信ケーブルは被覆によって保護できるが、小動物は通信ケーブルの上を移動できるので、万全を期すには、通信ケーブルの全長にわたり被覆を設ける必要があり、現実的ではない。
【０００５】
本発明は、上記の課題に鑑みてなされたものであり、その目的とするところは、野外に敷設された通信ケーブルの上を動物が移動するのを防止できる通信ケーブル保護装置を提供することにある。
【課題を解決するための手段】
【０００６】
上記の課題を解決するために、第１の本発明は、野外に敷設された通信ケーブルの上を動物が移動するのを防止する通信ケーブル保護装置であって、通信ケーブルを内包し且つ回転可能なように取り付けられる筒体と、前記筒体の外周部に立設する１以上の尖形状部材とを有することを特徴とする通信ケーブル保護装置をもって解決手段とする。
【０００７】
第２の本発明は、野外に敷設された通信ケーブルの上を動物が移動するのを防止する通信ケーブル保護装置であって、通信ケーブルを内包し且つ回転不可能なように取り付けられる筒体と、前記筒体の外周部の上方に向いている部分に立設する尖形状部材とを有することを特徴とする通信ケーブル保護装置をもって解決手段とする。
【０００８】
例えば、第２の本発明において、前記筒体の外周部の下方に向いている部分に立設する尖形状部材を有する。
【発明の効果】
【０００９】
本発明の通信ケーブル保護装置によれば、野外に敷設された通信ケーブルの上を動物が移動するのを防止することができ、通信ケーブルを動物の被害から保護することができる。
【図面の簡単な説明】
【００１０】
【図１】第１の実施の形態に係る通信ケーブル保護装置の構成を示す図である。
【図２】第２の実施の形態に係る通信ケーブル保護装置の構成を示す図である。
【図３】野外に敷設された通信ケーブルが動物により損傷をうける不都合を説明するための図である。
【発明を実施するための形態】
【００１１】
以下、本発明の実施の形態について図面を参照して説明する。
【００１２】
［第１の実施の形態］
図１（ａ）は、第１の実施の形態に係る通信ケーブル保護装置の外観図であり、図１（ｂ）は、図１（ａ）のＡＡ線断面図である。
【００１３】
通信ケーブル保護装置１は、野外に敷設された通信ケーブル（ここでは、通信ケーブル１０）の上を動物が移動するのを防止する通信ケーブル保護装置であって、通信ケーブル１０を内包し且つ回転可能なように取り付けられる筒体１１と、筒体１１の外周部に立設する１以上の尖形状部材１２とを有する。
【００１４】
筒体１１の通信ケーブル１０に沿った方向の長さ１Ｌは、例えば、約１ｍである。ここでは、栗鼠を想定し、栗鼠が筒体１１を飛び越えられないように長さ１Ｌを設定している。
【００１５】
通信ケーブル１０は、支柱４０に支持されている。なお、支持のための部材は、図示省略している。支柱４０の近傍には、樹木３０があり、樹木３０から栗鼠が通信ケーブル１０に飛び移り、通信ケーブル１０を齧り、被害を及ぼす可能性があるので、支柱４０の近傍の通信ケーブル１０は被覆２０により保護されている。
【００１６】
被覆２０に近い部分の通信ケーブル１０には、２つの筒体取付部材３、３が、通信ケーブル１０を取り巻くように取り付けられている。筒体取付部材３は、筒体１１の内径よりも若干短い外径を有する短径部３１を有する。被覆２０に近い方の筒体取付部材３の短径部３１は、被覆２０から遠い方に設けられ、被覆２０から遠い方の筒体取付部材３の短径部３１は、被覆２０に近い方に設けられている。
【００１７】
筒体１１は、各筒体取付部材３の短径部３１を架け渡すよう設置され、よって、通信ケーブル１０の回りに回転できるようになっている。
【００１８】
筒体１１の径１１Ｌは、例えば、約５ｃｍである。
【００１９】
尖形状部材１２は、４枚設けられ、各尖形状部材１２は、ノコギリの歯のように、複数の山を有する。各山は、先端にいくほど細く、つまり、尖っている。
【００２０】
尖形状部材１２の各山の長さ１２Ｌは、例えば、約８ｃｍである。ここでは、栗鼠が尖形状部材１２の山を跨げないように長さ１２Ｌを設定している。
【００２１】
第１の実施の形態においては、例えば、栗鼠が樹木３０から通信ケーブル１０の被覆２０で覆われた部分に乗り移り、さらに被覆２０で覆われていない部分に移動しようとする。ここで、栗鼠は、尖形状部材１２の山を避けて、筒体１１に乗ったとしても、尖形状部材１２の山を避けたことで、栗鼠は、バランスを欠いており、また、筒体１１が回転するので、次の一歩が踏み出せず移動することをあきらめる。また、栗鼠は、尖形状部材１２を一気に飛び越えようとしたとしても、栗鼠が筒体１１を飛び越えられないように長さ１Ｌを設定しているので、飛び越えられず、例えば、尖形状部材１２でバランスを崩し落下する。または、栗鼠は、あわよくば筒体１１に着地したとしても、筒体１１が回転するので、栗鼠はバランスを崩し、落下する。
【００２２】
よって、栗鼠は、通信ケーブル１０の被覆２０で覆われていない部分に移動できず、つまり、そのような脆弱な通信ケーブル１０であっても噛むことができず、その結果、通信ケーブル１０を栗鼠の被害から保護することができる。また、被覆２０は、通信ケーブル保護装置１の手前にだけに設ければよいので、被覆の敷設の労力を軽減できる。
【００２３】
［第２の実施の形態］
図２（ａ）は、第２の実施の形態に係る通信ケーブル保護装置の外観図であり、図２（ｂ）は、図２（ａ）のＢＢ線断面図である。
【００２４】
通信ケーブル保護装置２は、野外に敷設された通信ケーブル（通信ケーブル１０）の上を動物が移動するのを防止する通信ケーブル保護装置であって、通信ケーブル１０を内包し且つ回転不可能なように取り付けられる筒体２１と、筒体２１の外周部の上方に向いている部分に立設する尖形状部材２２と、筒体２１の外周部の下方に向いている部分に立設する尖形状部材２３とを有する。
【００２５】
筒体２１の通信ケーブル１０に沿った方向の長さ２Ｌは、例えば、約１ｍである。ここでは、栗鼠を想定し、栗鼠が筒体２１を飛び越えられないように長さ２Ｌを設定している。
【００２６】
通信ケーブル１０は、支柱４０に支持されている。なお、支持のための部材は、図示省略している。支柱４０の近傍には、樹木３０があり、樹木３０から栗鼠が通信ケーブル１０に飛び移り、通信ケーブル１０を囓り、被害を及ぼす可能性があるので、支柱４０の近傍の通信ケーブル１０は被覆２０により保護されている。
【００２７】
被覆２０に近い部分の通信ケーブル１０には、２つの筒体取付部材４、４が、通信ケーブル１０を取り巻くように取り付けられている。
【００２８】
筒体２１の内径は、各筒体取付部材４の外径にほぼ等しく、筒体２１の各端部の内周面は、各筒体取付部材４の外周面に密着している。よって、筒体２１は、通信ケーブル１０の回りに回転不可能になっている。
【００２９】
筒体２１の径２１Ｌは、例えば、約５ｃｍである。
【００３０】
各尖形状部材２２、２３は、ノコギリの歯のように、複数の山を有する。各山は、先端にいくほど細く、つまり、尖っている。
【００３１】
尖形状部材２２の各山の長さ２２Ｌは、例えば、約８ｃｍである。ここでは、栗鼠が尖形状部材２２の山を跨げないように長さ２２Ｌを設定している。
【００３２】
尖形状部材２３の各山の長さ２３Ｌは、例えば、約５ｃｍである。ここでは、栗鼠が筒体２１のぶら下がろうとしても、尖形状部材２３に胸部や腹部があたり、ぶら下がることができないように尖形状部材２３の山の長さ１２Ｌを設定している。
【００３３】
第２の実施の形態においては、例えば、栗鼠が樹木３０から通信ケーブル１０の被覆２０で覆われた部分に乗り移り、被覆２０で覆われていない部分に移動しようとする。ここで、栗鼠は、尖形状部材２２の山を避けて、筒体２１に乗ったとしても、尖形状部材２２の山を避けたことで、栗鼠は、バランスを欠いており、持ちこたえられず、落下する。また、栗鼠は、尖形状部材２２を一気に飛び越えようとしたとしても、栗鼠が筒体２１を飛び越えられないように長さ２Ｌを設定しているので、飛び越えられず、例えば、尖形状部材２２でバランスを崩し落下する。また、栗鼠は、筒体２１のぶら下がろうとしても、尖形状部材２３に胸部や腹部があたり、ぶら下がることができず、落下する。
【００３４】
よって、栗鼠は、通信ケーブル１０の被覆２０で覆われていない部分に移動できず、つまり、そのような脆弱な通信ケーブル１０であっても噛むことができず、その結果、通信ケーブル１０を栗鼠の被害から保護することができる。また、被覆２０は、通信ケーブル保護装置２の手前にだけに設ければよいので、被覆の敷設の労力を軽減できる。
【００３５】
なお、各実施の形態では、栗鼠を例にしたが、通信ケーブル保護装置は、その作用に鑑みれば、他の動物に対しても有効である。例えば、栗鼠以外の特定の動物が想定できるなら、その動物の大きさや運動能力などに応じて、筒体や尖形状部材の大きさや形状を定めればよい。
【符号の説明】
【００３６】
１、２…通信ケーブル保護装置
３、４…筒体取付部材
１０…通信ケーブル
１１、２１…筒体
１２、２２、２３…尖形状部材
２０…被覆
３１…筒体取付部材の短径部
【図１】
2013090500.tif 000003
【図２】
2013090500.tif 000004
【図３】
2013090500.tif 000005